(57)【要約】【目的】紙の点検表と変わらない操作感で検査でき，過去のデータも参照できるようにする。【構成】検査端末３に検査開始指令が与えられると，検査端末３の表示画面に画像化された検査書類が表示される（ステップ131，132）。表示画面にはタッチ・パネルが形成されており，表示画面が下にフリックされると，表示画面に表示されている今回の検査書類画像の前の検査書類画像が表示される（ステップ133，134）。今回の検査書類画像が表示画面に表示され，その検査書類画像の検査結果の欄に，検査結果が手書きで記載される（ステップ137）。従来の紙の検査書類と同じ間隔で検査でき，しかも過去の検査結果も確認できる。【選択図】図10
2012212305.tif 000002
【特許請求の範囲】
【請求項１】
管理サーバと携帯用検査端末とを含む検査システムにおいて，
上記管理サーバが，
未検査の検査書類を画像として表わす未検査書類画像データおよび検査済みの検査書類を画像として表わす検査済み書類画像データが記憶されている書類画像データベース，ならびに
上記書類画像データベースに記憶されている未検査書類画像データおよび検査済み書類画像データを上記携帯用検査端末に送信する第１の画像データ送信手段を備え，
上記携帯用検査端末が，
上記管理サーバの上記第１の画像データ送信手段から送信された未検査書類画像データおよび検査済み書類画像データを受信する書類画像データ受信手段，
上記書類画像データ受信手段において受信した未検査書類画像データによって表わされる未検査書類画像を表示画面に表示する表示装置，
上記表示画面に表示されている未検査書類画像に検査結果が与えられることに応じて未検査書類画像を検査済み書類画像に更新する更新手段，および
検査済み書類画像表示指令に応じて，上記検査画像データ受信手段において受信した検査済み書類画像データによって表わされる検査済み書類画像を上記表示画面に表示するように上記表示装置を制御する第１の表示制御手段，
を備えた検査システム。
【請求項２】
上記携帯用検査端末が，
上記更新手段によって更新された検査済み書類画像を表わす検査済み書類画像データを上記管理サーバに送信する第２の書類画像データ送信手段をさらに備え，
上記管理サーバが,
上記携帯用端末装置の第２の書類画像データ送信手段から送信された検査済み書類画像データを上記書類画像データベースに格納する格納手段，
をさらに備えた請求項１に記載の検査システム。
【請求項３】
上記携帯用検査端末が，
未検査書類画像に含まれる所望の箇所が指定されたことに応じて，上記表示画面の第１の領域に，指定された箇所を中心とした未検査書類画像の一部を拡大した画像を表示し，上記表示画面の第２の領域に，指定された箇所近傍であって拡大前の未検査書類画像の一部を表示するように上記表示装置を制御する第２の表示制御手段，
をさらに備えた請求項１または２に記載の検査システム。
【請求項４】
上記管理サーバの上記書類画像データベースには，
未検査書類画像データおよび検査済み書類画像データのほかにサブ画像データが記憶されており，
上記管理サーバの上記第１の画像データ送信手段は，
上記書類画像データベースに記憶されている未検査書類画像データおよび検査済み書類画像データのほかにサブ画像データを上記検査端末に送信するものであり，
上記携帯用検査端末の上記画像データ受信手段が，上記管理サーバの上記第１の画像データ送信手段から送信された未検査書類画像データ，検査済み書類画像データおよびサブ画像データを受信するものであり，
サブ画像表示指令に応じて，上記表示画面に表示されている未検査書類画像または検査済み書類画像に変えて，上記画像データ受信手段によって受信したサブ画像データによって表わされるサブ画像を上記表示画面に表示するように上記表示装置を制御する第３の表示制御手段，
をさらに備えた請求項１から３のうち，いずれか一項に記載の検査システム。
【請求項５】
上記書類画像データベースに格納されている，未検査書類画像データ，検査済み書類画像データおよびサブ画像データには改訂されていることを識別する識別符号が付されており，
上記管理サーバの上記第１の画像データ送信手段は，
上記識別番号によって表わされる最新の検査用書類画像データおよびサブ画像データを上記携帯用検査端末に送信するものである，
請求項１から４のうち，いずれか一項に記載の検査システム。
【請求項６】
上記書類画像データベースに格納されている，未検査書類画像データ，検査済み書類画像データおよびサブ画像データには改訂されていることを識別する識別符号が付されており，
上記携帯用検査端末は，
識別符号を指定する識別符号指定手段，および
上記識別符号指定手段によって指定された識別符号を表わすデータを上記管理サーバに送信する識別符号送信手段をさらに備え，
上記管理サーバの上記第１の画像データ送信手段は，
上記携帯用検査端末の上記識別符号送信手段から送信されたデータによって表される識別番号が付与されている検査用書類画像データおよびサブ画像データを上記携帯用検査端末に送信するものである，
請求項４に記載の検査システム。
【請求項７】
上記管理サーバの上記第１の画像データ送信手段は，
未検査書類画像データおよび複数の検査済み書類画像を表わす検査済み書類画像データを上記携帯用検査端末に送信するものであり，
複数の検査済み書類画像のうち共通の部分については少なくとも一部の送信を省略するものである，
請求項１から６のうち，いずれか一項に記載の検査システム。
【請求項８】
管理サーバと携帯用検査端末とを含む検査システムを構成する携帯用検査端末において，
上記管理サーバから送信され，未検査の検査書類を画像として表わす未検査書類画像データおよび検査済みの検査書類を画像として表わす検査済み書類画像データを受信する書類画像データ受信手段，
上記書類画像データ受信手段において受信した未検査書類画像データによって表わされる未検査書類画像を表示画面に表示する表示装置，
上記表示画面に表示されている未検査書類画像に検査結果が与えられることに応じて未検査書類画像を検査済み書類画像に更新する更新手段，および
検査済み書類画像表示指令に応じて，上記検査画像データ受信手段において受信した検査済み書類画像データによって表わされる検査済み書類画像を上記表示画面に表示するように上記表示装置を制御する表示制御手段，
携帯用検査端末。
【請求項９】
管理サーバと携帯用検査端末とを含む検査システムを構成する携帯用検査端末の動作制御方法において，
書類画像データ受信手段が，上記管理サーバから送信され，未検査の検査書類を画像として表わす未検査書類画像データおよび検査済みの検査書類を画像として表わす検査済み書類画像データを受信し，
表示装置が，上記検査画像データ受信手段において受信した未検査書類画像データによって表わされる未検査書類画像を表示画面に表示し，
更新手段が，上記表示画面に表示されている未検査書類画像に検査結果が与えられることに応じて未検査書類画像を検査済み書類画像に更新し，
表示制御手段が，検査済み書類画像表示指令に応じて，上記検査画像データ受信手段において受信した検査済み書類画像データによって表わされる検査済み書類画像を上記表示画面に表示するように上記表示装置を制御する，
携帯用検査端末の動作制御方法。
【請求項１０】
管理サーバと携帯用検査端末とを含む検査システムを構成する携帯用検査端末のコンピュータを制御するプログラムであって，
上記管理サーバから送信され，未検査の検査書類を画像として表わす未検査書類画像データおよび検査済みの検査書類を画像として表わす検査済み書類画像データを受信させ，
受信した未検査書類画像データによって表わされる未検査書類画像を表示装置の表示画面に表示させ，
上記表示画面に表示されている未検査書類画像に検査結果が与えられることに応じて未検査書類画像を検査済み書類画像に更新させ，
検査済み書類画像表示指令に応じて，受信した検査済み書類画像データによって表わされる検査済み書類画像を上記表示画面に表示するように上記表示装置を制御するように携帯用検査端末のコンピュータを制御するコンピュータが読み取り可能なプログラム。
【請求項１１】
請求項10に記載のプログラムが格納された記録媒体。
【発明の詳細な説明】
【技術分野】
【０００１】
この発明は，検査システム，携帯用端末装置，その動作制御方法，そのプログラムおよびそのプログラムが格納された記録媒体に関する。
【背景技術】
【０００２】
点検表にもとづいて検査を行い，点検表に検査結果を記す検査業務においては，次のような課題がある。（１）点検表の内容によっては，過去のデータを参照して検査結果を判断する必要があるが，多くの場合は過去のデータはデジタル化されておらず，紙の点検表のままで保管しているので，過去のデータが必要な時にその場ですぐには参照できない。（２）点検表のデジタル化の方法としては，点検表のテンプレートを入力フォーム化する方法が一般的であるが，数百〜数千種類に及ぶ点検表が存在するため，それらのテンプレートすべてをフォーム化するとなると莫大なコストがかかる。また，フォーム化した場合も，それ以前の過去のデータを参照するためには，過去のデータをフォーム入力し直す必要があり，さらに莫大なコストがかかる。（３）フォームによる検査結果の入力は，従来の紙の点検表と操作性がまったく異なるため，著しく作業効率を損なう。
【０００３】
電子カルテを作成するもの（特許文献１），ＣＧなどに不慣れな一般顧客でも顧客端末装置に表示された記入用紙に手書き記入を実行できるようにするもの（特許文献２），患者の医療検査を医師が依頼したり，検疫所の係員が諸検査を依頼したりする場合に，依頼書の内容を電子文書に反映するものがある（特許文献３）。しかしながら，そもそも点検についてのものではないし，過去のデータを参照することについても全く考えられていない。
【先行技術文献】
【特許文献】
【０００４】
【特許文献１】特開2007-213555号公報
【特許文献２】特開2002-245515号公報
【特許文献３】特開2005-222382号公報
【発明の概要】
【０００５】
この発明は，検査書類を用いて検査を行う場合に，紙の検査書類と変わらない操作感で検査でき，しかも過去のデータも参照できるようにすることを目的とする。
【０００６】
この発明は，管理サーバと携帯用検査端末とを含む検査システムについてのものである。
【０００７】
上記管理サーバは，未検査の検査書類（検査に必要な書類であり，例えば，点検表）を画像として表わす未検査書類画像データおよび検査済みの検査書類を画像として表わす検査済み書類画像データが記憶されている書類画像データベース，ならびに上記書類画像データベースに記憶されている未検査書類画像データおよび検査済み書類画像データを上記携帯用検査端末に送信する第１の画像データ送信手段を備えている。
【０００８】
上記携帯用検査端末は，上記管理サーバの上記第１の画像データ送信手段から送信された未検査書類画像データおよび検査済み書類画像データを受信する書類画像データ受信手段，上記書類画像データ受信手段において受信した未検査書類画像データによって表わされる未検査書類画像を表示画面に表示する表示装置，上記表示画面に表示されている未検査書類画像に検査結果が与えられることに応じて未検査書類画像を検査済み書類画像に更新する更新手段，および検査済み書類画像表示指令に応じて，上記検査画像データ受信手段において受信した検査済み書類画像データによって表わされる検査済み書類画像を上記表示画面に表示するように上記表示装置を制御する第１の表示制御手段を備えていることを特徴とする。
【０００９】
上記管理サーバおよび上記検査用携帯端末をそれぞれ単独で構成してもよい。
【００１０】
また，この発明は，上記検査用携帯端末に適した動作制御方法も提供している。すなわち，この方法は，管理サーバと携帯用検査端末とを含む検査システムを構成する携帯用検査端末の動作制御方法において，画像データ受信手段が，上記管理サーバから送信され，未検査の検査書類を画像として表わす未検査書類画像データおよび検査済みの検査書類を画像として表わす検査済み書類画像データを受信し，表示装置が，上記検査画像データ受信手段において受信した未検査書類画像データによって表わされる未検査書類画像を表示画面に表示し，更新手段が，上記表示画面に表示されている未検査書類画像に検査結果が与えられることに応じて未検査書類画像を検査済み書類画像に更新し，表示制御手段が，検査済み書類画像表示指令に応じて，上記検査画像データ受信手段において受信した検査済み書類画像データによって表わされる検査済み書類画像を上記表示画面に表示するように上記表示装置を制御するものである。
【００１１】
また，この発明は，上記携帯用検査端末の動作を制御するプログラムおよびそのプログラムを格納した記録媒体も提供している。
【００１２】
この発明によると，書類画像データベースには，未検査の検査用書類を画像として表わす未検査書類画像データおよび検査済みの検査書類を画像として表わす検査済み書類画像データが記憶されている。これらの未検査書類画像データおよび検査済み書類画像データは管理サーバから携帯用検査端末に送信される。管理サーバから送信された未検査書類画像データおよび検査済み書類画像データが携帯用検査端末において受信されると，受信された未検査書類画像データによって表わされる未検査書類画像が，携帯用検査端末の表示画面に表示される。検査箇所において検査が行われると，表示画面に表示された未検査書類画像に検査結果が与えられる（たとえば，チェックされる，記載される）。すると，未検査書類画像が検査済み書類画像に更新させられる。従来の紙の検査表と同じ感覚で検査を行うことができる。
【００１３】
また，検査済み画像表示指令に応じて，検査済み書類画像が表示される。検査箇所で過去の検査内容を確認できるようになる。
【００１４】
上記携帯用検査端末は，上記更新手段によって更新された検査済み書類画像を表わす検査済み書類画像データを上記管理サーバに送信する第２の書類画像データ送信手段をさらに備えてもよい。この場合，上記管理サーバは,上記携帯用端末装置の第２の書類画像データ送信手段から送信された検査済み書類画像データを上記書類画像データベースに格納する格納手段をさらに備えることとなろう。
【００１５】
上記携帯用検査端末は，未検査書類画像に含まれる所望の箇所が指定されたことに応じて，上記表示画面の第１の領域に，指定された箇所を中心とした未検査書類画像の一部を拡大した画像を表示し，上記表示画面の第２の領域に，指定された箇所近傍であって拡大前の未検査書類画像の一部を表示するように上記表示装置を制御する第２の表示制御手段をさらに備えてもよい。
【００１６】
上記管理サーバの上記書類画像データベースには，未検査書類画像データおよび検査済み書類画像データのほかに，サブ画像データ（検査に補助的に利用される書類であり，たとえば，検査マニアル書類，検査図面などである。これらの補助的な書類を表わす画像データがサブ画像データである。補助的な書類に対して検査に必須となる検査書類はメイン書類と位置づけることができる。）が記憶されていてもよい。この場合，上記管理サーバの上記第１の画像データ送信手段は，たとえば，上記書類画像データベースに記憶されている未検査書類画像データおよび検査済み書類画像データのほかにサブ画像データを上記検査端末に送信し，上記携帯用検査端末の上記画像データ受信手段は，上記管理サーバの上記第１の画像データ送信手段から送信された未検査書類画像データ，検査済み書類画像データおよびサブ画像データを受信する。そして，サブ画像表示指令に応じて，上記表示画面に表示されている未検査書類画像または検査済み書類画像に変えて，上記画像データ受信手段によって受信したサブ画像データによって表わされるサブ画像を上記表示画面に表示するように上記表示装置を制御する第３の表示制御手段をさらに備えるようにしてもよい。
【００１７】
上記書類画像データベースに格納されている，未検査書類画像データ，検査済み書類画像データおよびサブ画像データには改訂されていることを識別する識別符号が付されていてもよい。この場合，上記管理サーバの上記第１の画像データ送信手段は，たとえば，上記識別番号によって表わされる最新の検査用書類画像データおよびサブ画像データを上記携帯用検査端末に送信するものである。
【００１８】
また，上記書類画像データベースに格納されている，未検査書類画像データ，検査済み書類画像データおよびサブ画像データには改訂されていることを識別する識別符号が付されている場合，上記携帯用検査端末は，たとえば，識別符号を指定する識別符号指定手段，および上記識別符号指定手段によって指定された識別符号を表わすデータを上記管理サーバに送信する識別符号送信手段をさらに備えてもよい。そして，上記管理サーバの上記第１の画像データ送信手段は，たとえば，上記携帯用検査端末の上記識別符号送信手段から送信されたデータによって表される識別番号が付与されている検査用書類画像データおよびサブ画像データを上記携帯用検査端末に送信する。
【００１９】
上記管理サーバの上記第１の画像データ送信手段は，たとえば，未検査書類画像データおよび複数の検査済み書類画像を表わす検査済み書類画像データを上記携帯用検査端末に送信するものでもよい。この場合，複数の検査済み書類画像のうち共通の部分については少なくとも一部の送信を省略することができる。
【図面の簡単な説明】
【００２０】
【図１】検査システムの概要である。
【図２】管理サーバの電気的構成を示すブロック図である。
【図３】検査端末の電気的構成を示すブロック図である。
【図４】紙の検査表を示している。
【図５】検査システムの処理手順を示すフローチャートである。
【図６】検査準備処理手順を示すフローチャートである。
【図７】検査書類ファイルのファイル構造を示している。
【図８】書類画像データベースに格納されているファイル群を示している。
【図９】検査データ・ダウンロード処理手順を示すフローチャートである。
【図１０】検査実施処理手順を示すフローチャートである。
【図１１】検査書類ファイル群を示している。
【図１２】（Ａ）および（Ｂ）は検査端末に表示されている検査書類の一例である。
【図１３】検査書類画像の一例である。
【図１４】検査結果閲覧処理手順を示すフローチャートである。
【図１５】検査書類ファイル群を示している。
【図１６】手書き入力処理手順を示すフローチャートである。
【図１７】（Ａ）および（Ｂ）は検査端末に表示されている検査書類の一例である。
【図１８】検査書類ファイル群等を示している。
【図１９】複数書類の参照処理手順を示すフローチャートである。
【図２０】（Ａ）から（Ｃ）は，検査端末を示している。
【図２１】管理サーバと検査端末との処理手順を示すフローチャートである。
【図２２】検査利用書類テーブルの一例である。
【図２３】管理サーバと検査端末との処理手順を示すフローチャートである。
【実施例】
【００２１】
図１は，この発明の実施例を示すもので，検査システムの概要である。
【００２２】
検査システムには，パーソナル・コンピュータ１，管理サーバ２および携帯用検査端末３が含まれている。
【００２３】
この実施例では，紙の検査書類にチェックしながら検査する代わりに，その検査書類を表す画像を検査端末３の表示画面に表示し，その表示された画像を用いて検査を行うものである。検査者は，検査端末３を持って検査箇所で検査する。
【００２４】
図２は，管理サーバ２の電気的構成を示すブロック図である。
【００２５】
管理サーバ２の全体の動作は，ＣＰＵ10によって統括される。
【００２６】
管理サーバ２には，パーソナル・コンピュータ１および検査端末３と通信するための通信装置11，紙の検査書類等が画像化されたデータが格納される書類画像データベース12，所定のデータ等を記憶するメモリ13，所望の指令等を入力する入力装置14などが含まれている。
【００２７】
図３は，検査端末３の電気的構成を示すブロック図である。
【００２８】
検査端末３の全体の動作は，ＣＰＵ20によって統括される。
【００２９】
検査端末３には，管理サーバ２と通信するための通信装置21，表示装置22，データ等を記憶するメモリ24が含まれている。表示装置22の表示画面には，タッチ・パネル23が形成されている。タッチ・パネル23を用いて検査端末３に指令等が入力される。
【００３０】
検査端末３には，メモリ・カード26に記録されているデータ，プログラムを読み取る，あるいはデータ等を記録するメモリ・カード・リーダ／ライタ25が含まれている。メモリ・カード26には，検査端末３の動作プログラムが格納されている。メモリ・カード26に記録されている動作プログラムが読み取られ，その動作プログラムが検査端末３にインストールされることにより，後述する動作が行われる。動作プログラムは，メモリ・カード26以外の他の記録媒体に記録されていてもよいし，ネットワークを介して送信されてもよい。
【００３１】
図４は，紙の検査書類30の一例である。
【００３２】
図４に示す紙の検査書類30は，未検査のものであり，このような検査書類（未検査書類）30が画像化されたものにもとづいて検査が行われる。
【００３３】
検査書類30には，検査表31および検査年月日32が記載されている。検査表31には，検査No.，検査項目，検査方法および検査結果の各欄が含まれている。検査結果の欄に，検査された結果が検査者によって記載される。検査年月日32には，検査をした年月日が検査者によって記載される。
【００３４】
図５は，検査システムの処理手順の概要を示すフローチャートである。
【００３５】
検査システムでは，まず検査準備処理が行われ（ステップ41），その後検査データ・ダウンロード処理が行われる（ステップ42）。つづいて，検査者による検査が実施され（ステップ43），検査結果の閲覧処理が行われる（ステップ44）。
【００３６】
図６は，検査準備処理手順（図５ステップ41の処理手順）を示すフローチャートである。
【００３７】
図４に示したような紙の検査書類30およびすでに過去において検査が終了した紙の検査書類がすべてスキャナ（図示略）によりスキャンされ，紙の検査書類30がすべて画像化される（ステップ51）。後述するように，検査表が記載されている検査表だけでなく，検査図面（検査箇所を示す図面など），検査マニアル，検査報告書などのすべての紙の書類が画像化される。検査書類等が画像化されると，画像データに付加するためのメタ・データが入力される（ステップ52）。メタ・データには，検査書類等の内容の変更を特定するバージョン番号，リビジョン番号などの識別符号，検査の種類，年月日などが含まれる。これらの画像化された検査書類等の画像データおよびメタ・データがパーソナル・コンピュータ１から管理サーバ２に送信される（ステップ53）。
【００３８】
パーソナル・コンピュータ１から送信された画像データおよびメタ・データが管理サーバ２において受信されると（ステップ61），受信した画像データによって表される画像が検査端末３において表示できるように，所定のフォーマットをもつ画像データに変換される（ステップ62）。パーソナル・コンピュータ１から送信された画像データが検査端末３において表示できるフォーマットをもつものであれば，所定のフォーマットをもつ画像データへの変換処理はスキップされるのはいうまでもない。
【００３９】
つづいて，所定のフォーマットに変換された画像データおよびメタ・データから検査書類ファイル等が生成される（ステップ63）。
【００４０】
図７は，生成された検査書類ファイル80の一例である。
【００４１】
生成された検査書類ファイル80には，ヘッダ記録領域81と画像データ記録領域82とが含まれている。ヘッダ記録領域81に，パーソナル・コンピュータ１から送信されたメタ・データが記録される。画像データ記録領域82には，上述のようにフォーマット変換された画像データが記録される。
【００４２】
上述したように，検査書類だけでなく，その他の検査図面，検査マニアル，報告書等も同様にファイルが生成される。
【００４３】
一つの検査書類，検査図面，検査マニアル，報告書のそれぞれに対応して一つのファイルが生成される。
【００４４】
図６に戻って，検査書類ファイル80が生成されると，生成された検査ファイル等が書類画像データベース12に格納される（ステップ64）。上述のように，過去の検査書類等についてすべてファイル化され，それらのファイル群が書類画像データベース12に格納される。
【００４５】
図８は，書類画像データベース12に格納されているファイルを示している。
【００４６】
書類画像データベース12には，上述のように多数の検査書類がファイル化されている検査書類ファイル群91，多数の検査図面がファイル化されている図面ファイル群92，多数のマニアルがファイル化されているマニアル・ファイル群93および多数の報告書がファイル化されている報告書ファイル群94が格納される。
【００４７】
書類画像データベース12には，過去の検査書類，検査図面，検査マニアル，報告書がすべてファイル化されて格納されることとなる。
【００４８】
図６に戻って，検査書類ファイル等の書類画像データベース12への記憶が成功すると（ステップ65でＹＥＳ），成功データが管理サーバ２からパーソナル・コンピュータ１に送信される（ステップ66）。検査書類ファイル等の書類画像データベース12への記憶が失敗すると（ステップ65でＮＯ），失敗データが管理サーバ２からパーソナル・コンピュータ１に送信される（ステップ67）。
【００４９】
パーソナル・コンピュータ１において成功データが受信されると（ステップ54でＹＥＳ），登録完了の旨が表示される（ステップ55）。パーソナル・コンピュータ１において失敗データが受信されると（ステップ54でＮＯ），登録エラーが表示される（ステップ56）。登録が失敗されると，再登録が行われることとなろう。
【００５０】
登録が終了しなければ（ステップ57でＮＯ），ステップ51からの処理が繰り返される。
【００５１】
図９は，検査データ・ダウンロード処理手順（図５ステップ42の処理手順）を示すフローチャートである。
【００５２】
検査端末３にインストールされている検査プログラムが起動させられ，検査端末３のタッチ・パネル23から検査データ・ダウンロード実行ボタンが押されると（ステップ111でＹＥＳ），検査データ送信指令が検査端末３から管理サーバ２に送信される（ステップ112）。
【００５３】
検査端末３から送信された検査データ送信指令が管理サーバ２において受信されると，その検査データ送信指令に応じて，書類画像デーベース12に格納されているすべての検査書類ファイル群91，図面ファイル群92，マニアル・ファイル群93および報告書ファイル群94が読み取られる（ステップ101）。読み取られた検査書類ファイル群91等が管理サーバ２から検査端末３に送信される（ステップ102）。
【００５４】
管理サーバ２から送信された検査書類ファイル群91等が検査端末３において受信されると（ステップ113），受信した検査書類ファイル群91等が検査端末３に記憶される（ステップ114）。
【００５５】
上述のようにして，管理サーバ２の書類画像データベース12に格納されているすべてのファイルが検査端末３に送信される。もっとも，書類画像データベース12に格納されているすべてのファイルが管理サーバ２から検査端末３に送信されずに，今回のファイルと過去数回または数十回分のファイルとが管理サーバ２から検査端末３に送信されるようにしてもよい。また，検査書類ファイル，図面ファイル，マニアル・ファイルおよび報告書ファイルのすべての種類のファイルが管理サーバ２から検査端末３に送信されずに，検査書類ファイルのみが管理サーバ２から検査端末３に送信されるようにしてもよい。
【００５６】
図10は，検査実施処理手順（図５ステップ43の処理手順）を示すフローチャートである。
【００５７】
検査者がタッチ・パネル23を介して検査端末３に検査開始指令を与えると（ステップ131），検査端末３の表示装置22の表示画面には画像化された未検査書類（これから検査するために検査結果が空欄の未検査書類画像）が表示される（ステップ132）。
【００５８】
図11の左側は，上述のように管理サーバ２からダウンロードされた検査書類ファイル群91を示している。この検査書類ファイル群91には，初回に行われた検査結果が記載されている検査済み書類の画像を表す検査書類ファイル151から，前々回，前回の検査結果が記載されている検査済み書類の画像を表す検査済み書類ファイル152，153（検査済み書類画像データ）および今回の検査の結果を記載する未検査書類の画像を表す未検査書類ファイル（未検査書類データ）154がすべて含まれている。これらのファイルのうち，検査開始指令が与えられると，図11の右側に示されているように，今回の検査の結果を記載する未検査書類の未検査書類ファイル154によって表される未検査書類画像155が検査端末３の表示装置22の表示画面に表示される。図11の右側に表示されている未検査書類画像155は，これからの検査に利用するものであるから，検査結果の欄および検査年月日の欄はそれぞれ空欄とされている。
【００５９】
図12（Ａ）は，これから検査に利用される今回の未検査書類画像155が検査端末３の表示画面160に表示されている様子を示し，図12（Ｂ）は，前回の検査済み書類画像156が検査端末３の表示画面160に表示されている様子を示している。
【００６０】
図12（Ａ）に示すように，検査者の指αによってタッチ・パネル23が下方向にフリックされると，前回の検査済み書類ファイル153が読み出され，図12（Ｂ）に示すように，その前回の検査済み書類ファイル153によって表される検査済み書類画像156が表示画面160に表示される。このように，タッチ・パネル23が下方向にフリックされると，表示画面160に表示されている未検査書類画像または検査済み書類画像の一つ前の検査済み書類画像が表示画面160に表示される。逆に，タッチ・パネル23が上方向にフリックされると，表示画面160に表示されている検査済み書類画像の一つ後の未検査書類画像または検査済み書類画像が表示画面に表示される。
【００６１】
図10に戻って，上述のように，タッチ・パネル23が指で下にフリックされると（ステップ133でＹＥＳ），現在表示されている未検査書類画像または検査済み書類画像の一つ前の検査済み書類画像が表示画面160に表示される（ステップ134）。タッチ・パネル23が指で上にフリックされると（ステップ135でＹＥＳ），現在表示されている検査済み書類画像の一つ後の未検査書類画像または検査済み書類画像が表示画面160に表示される（ステップ136）。このように，過去に行われた検査結果が検査端末３の表示画面160に表示されるので，その過去の検査結果を参照しながら，今回の検査を行うことができるようになる。
【００６２】
今回の未検査書類画像155が検査端末３の表示画面に表示され，検査者による検査が行われると，検査者によって，その未検査書類画像155に検査結果が手書きで記述される（ステップ137）。未検査書類画像155が検査済み書類画像155に更新されることとなる。
【００６３】
図13は，検査結果が手書きで記述された，今回の検査済み書類画像155である。
【００６４】
図13に示す検査済み書類画像155では，空欄であった検査結果の欄に，検査結果が手書きで記載されている。また，検査年月日も手書きで記載されている。
【００６５】
図10に再び戻って，検査結果が手書きで記載されると，記載された検査結果を含む一つの検査済み書類画像を表す検査済み書類画像ファイルが検査用端末３から管理サーバ２に送信される（ステップ138）。
【００６６】
検査用端末３から送信された検査済み書類画像ファイルが管理サーバ２において受信されると（ステップ121），受信した検査済み書類画像ファイルが書類画像データベース12に格納される（ステップ122）。このように今回の検査により得られた検査済み書類画像ファイルが書類画像データベース12に格納されるので，その後検査書類画像ファイル群91が検査端末３にダウンロードされるときには，今回の検査により得られた検査済み書類画像ファイルも検査端末３に送信されるようになる。
【００６７】
検査済み書類画像ファイルが書類画像データベース12に格納されると（ステップ123でＹＥＳ），書類画像データベース12に格納が成功したことを表す成功データが管理サーバ２から検査用端末３に送信される（ステップ124）。
【００６８】
管理サーバ２から送信された成功データが検査用端末２において受信されると（ステップ139），検査者によって検査終了指令が検査用端末２に与えられる（ステップ140）。すると，検査が終了したことを示す終了データが検査用端末３から管理サーバ２に送信される（ステップ141）。
【００６９】
検査用端末３から送信された終了データが管理サーバ２において受信されると（ステップ125），検査実施処理が終了こととなる。
【００７０】
図14は，検査結果閲覧処理手順（図５ステップ44）を示すフローチャートである。
【００７１】
パーソナル・コンピュータ１または検査用端末３に検査書類ファイル群91等の要求指令がタッチ・パネル23から与えられる（ステップ161）。すると，その要求指令がパーソナル・コンピュータ１または検査用端末３から管理サーバ２に送信される（ステップ162）。
【００７２】
要求指令が管理サーバ２において受信されると（ステップ171），要求指令に応じて検査書類ファイル群91等が書類画像データベース12から読み取られる（ステップ172）。読み取られた検査書類ファイル群91等が管理サーバ２から，要求指令を送信したパーソナル・コンピュータ１または検査端末３に送信される（ステップ173）。
【００７３】
管理サーバ２から送信された検査書類ファイル群91等がパーソナル・コンピュータ１または検査端末３において受信されると（ステップ163），受信した検査書類ファイル群91に含まれるファイルによって表される検査書類等が表示されるようになる（ステップ164）。
【００７４】
検査書類ファイル群91，図面ファイル群92，マニアル・ファイル群93，報告書ファイル群94のすべての送信を管理サーバ２に要求してもよいし，それらの一部のファイル群を要求してもよい。さらに，これらのファイル群のうちの一部のファイルのみを要求するようにしてもよい。その場合には，要求するファイルを指定するＩＤが管理サーバ２に送信されることとなろう。
【００７５】
図15は，変形例を示すもので，検査書類ファイル群180等を示している。図15は，図11に対応するものである。
【００７６】
図11に示す例では，検査書類ファイル群91に含まれるファイル154等のそれぞれが検査表も含む未検査書類画像155または検査済み書類画像を示している。これに対して，図15に示す例では，図15の左側に示すように，検査書類ファイル群180に一つの検査テンプレート・ファイル181が含まれている。この検査テンプレート・ファイル181は，図４に示した紙の未検査書類を画像（検査テンプレート）として表すものである。図15の右側に示すように，検査書類ファイル群180に含まれるファイルのうち，検査テンプレート・ファイル180以外のファイル（検査結果ファイル）190は，上述のように，検査によって検査者が手書きで記載した検査結果および検査年月日を透過性のある画像として表している。これらの検査結果ファイル190には，初回の検査結果および検査年月日を表す検査結果ファイル182，前々回，前回の検査結果および検査年月日を表す検査結果ファイル183，184が含まれている。たとえば，前回の検査結果ファイル184によって前回の検査結果および検査年月日を表す画像191が表示される。今回の検査結果ファイル185によって表される画像192では，検査前では手書きで検査結果および検査年月日が記載されていないこととなる。上述のように，検査が終了すると，画像192は検査結果および検査年月日を表すこととなる。上述した実施例との関係でいえば，検査テンプレート・ファイル181，初回から前回までの検査結果ファイル182から184が検査済み書類画像ファイルであり，今回の検査結果ファイルが未検査書類画像ファイルである。
【００７７】
検査テンプレート・ファイル181によって表される検査テンプレートに，検査前の今回の検査結果ファイル185によって表される画像192が重ねられることにより，図12（Ａ）に示すように，検査前の未検査書類の画像155を表示できるようになる。検査前の未検査書類の画像155に検査結果および検査年月日が手書きで記載されることにより，図13に示すように，検査後の検査済み書類の画像155が得られる。今回の検査結果等を表す画像は，図15の右側に示す前回の検査結果等を示す画像191と同様に検査テンプレートの画像は含まれていず，検査者によって手書きで記載された検査結果および検査年月日を表すものとなっているのはいうまでもない。検査者によって検査が終了すると，検査テンプレートの画像が含まれていずに，検査者によって手書きで記載された検査結果および検査年月日を表す画像ファイルが検査端末３から管理サーバ２に送信されることとなる。管理サーバ２の書類画像データベース12には，手書きで記載された検査結果および検査年月日のみを画像として表す画像ファイルが格納される。
【００７８】
上述のように，過去の検査結果等が検査端末３の表示画面160に表示する場合には，検査結果ファイル190のうち，所望の回の検査結果を表すファイルによって表される画像が，検査テンプレート・ファイル181によって表される検査テンプレートに重ねられることにより，図12（Ｂ）に示すように，過去の検査項目，検査方法，検査結果，検査年月日などを含む画像が表示されるようになる。
【００７９】
この場合も，検査結果ファイル190のすべてと検査書類テンプレート・ファイル181とが管理サーバ２から検査端末３に送信されずに，今回の検査結果ファイル185と今回から数回または数十回前までの検査結果ファイルと検査書類テンプレート・ファイル181とが管理サーバ２から検査端末３に送信されるようにしてもよい。また，検査時には，今回の検査結果ファイル185と検査書類テンプレート・ファイル181とが管理サーバ２から検査端末３に送信され，必要な過去データを表す検査結果ファイル190が管理サーバ２から検査端末３に送信されるようにしてもよい。
【００８０】
図16ならびに図17（Ａ）および図17（Ｂ）は，変形例を示している。
【００８１】
図16は，検査端末３において手書き入力をするときの処理手順（図10のステップ137の処理手順）を示すフローチャートである。図17（Ａ）および図17（Ｂ）は，検査端末３の表示画面160に表示される未検査書類画像（検査済み書類画像）155を示している。
【００８２】
この変形例は，検査端末３の表示画面160に表示される未検査書類画像155の一部を拡大するものである。図17（Ａ）に示すように，拡大したいポイントが検査者の指αによって指定される（図16ステップ201でＹＥＳ）。すると，図17（Ｂ）に示すように，表示画面160が上下の領域に分けられる。下段の領域（第１の領域）160Ａには，検査者によって指定されたポイント近傍の領域160Ｃ内の画像が拡大されて表示される（図16ステップ202）。第１の領域160Ａの左上には第１の領域160Ａを閉じて再び図17（Ａ）に示すように元に戻す場合にタッチされる閉じるボタン160Ｄが表示されている。上段の領域（第２の領域）160Ｂには，検査者によって指定された検査書類画像155がそのままの大きさで表示されている。
【００８３】
検査者は，第１の領域160Ａに表示されている拡大された検査書類画像155の検査結果欄に検査結果を手書きで記載する（図16ステップ203）。第１の領域160Ａに表示されている検査書類画像155は拡大されているので検査結果の記載が比較的容易となる。閉じるボタン160Ｄが押されると，上述のように，第１の領域160Ｂが閉じることとなる（図16ステップ204）。
【００８４】
第２の領域160Ｂ上が指で上下左右にスクロール指令が与えられると，第２の領域160Ｂに表示されている検査書類画像155が上下左右にスクロールされる。手書きで記載する検査結果の欄を拡大しつつ，検査書類画像155をスクロールでき，第２の領域160Ａで隠れた検査書類画像155の部分も第２の領域160Ｂに表示させることもできる。
【００８５】
図18から図20（Ａ），図20（Ｂ）および図20（Ｃ）は，他の変形例を示している。
【００８６】
この変形例では，検査端末３の表示画面160の操作に応じて検査書類画像だけでなく，その他の書類の画像も表示画面160に表示させるものである。
【００８７】
図18は，上述のようにして管理サーバ２から送信された検査書類ファイル群91（または180），図面ファイル群92，マニアル・ファイル群93および報告書ファイル群94が検査端末３に記憶されている。
【００８８】
検査端末３の表示画面160上が左右にフリックされると，表示画面160に表示される画像の種類が変わる。たとえば，表示画面160に検査書類画像が表示されている場合に，右フリックされると図面ファイル群92のファイルによって表される図面画像が表示画面160に表示され，左フリックされると報告書ファイル群94のファイルによって表される報告書画像が表示画面160に表示される。
【００８９】
検査端末の表示画面160上が上下にフリックされると，上述のように時間的に前後する画像が表示される。たとえば，表示画面160に今回の検査書類ファイル154によって表される検査書類画像が表示されている場合に，下フリックされると，前回の検査書類ファイルによって表される検査書類画像が表示画面160に表示される。前回の検査書類画像が表示画面160に表示されているときに上フリックされると，今回の検査書類ファイル154によって表される検査書類画像が表示画面160に表示される。
【００９０】
上述した動作は，検査書類ファイル群91についてだけでなく，その他のファイル群92から94についても同様である。
【００９１】
図19は，検査端末３の処理手順を示すフローチャートである。この処理手順は，図10に示すステップ133から136の処理手順に対応するものである。図20（Ａ）は検査者の指αによって表示画面160が左または右にフリックされる様子を示し，図20（Ｂ）は検査者の指αによって表示画面160が上または下にフリックされる様子を示し，図20（Ｃ）は検査者の指αによって表示画面160が斜め上または斜め下にフリックされる様子を示している。
【００９２】
上述のように，表示画面160上において左または右にフリックされると（図19ステップ211でＹＥＳ），表示画面160に現在表示されている書類画像とは異なる種類の書類画像が表示画面160に表示される（図19ステップ212）。表示画面160上において上または下にフリックされると（図19ステップ213でＹＥＳ），表示画面160に現在表示されている書類画像の時間的に後または前の書類画像が表示画面160に表示される（ステップ214）。表示画面160上において，斜め左上または斜め左下にフリックされると（図19ステップ215でＹＥＳ），現在表示されている書類画像の次の頁または前のページが表示画面160に表示される（図19ステップ216）。終了指令が与えられなければ（図19ステップ217でＮＯ），ステップ211からの処理が繰り返される。
【００９３】
図21から図23は，さらに他の変形例を示している。この変形例は，検査に利用した書類画像が分かるようにするものである。
【００９４】
図21は，検査利用書類テーブルを生成する処理手順を示すフローチャートであり，図22は，生成される検査利用書類テーブルの一例である。
【００９５】
上述のように，検査端末３において検査が行われると（ステップ43），検査に利用されたファイルのヘッダに格納されている識別符号が読み取られる（ステップ231）。読み取られた識別符号，検査年月日，検査者をそれぞれ表すデータを格納する識別符号ファイルが生成される（ステップ232）。  生成された識別符号ファイルは，検査端末３から管理サーバ２に送信される（ステップ233）。
【００９６】
検査端末３から送信された識別符号ファイルが管理サーバ２において受信されると（ステップ221），識別符号ファイルに格納されている識別符号，検査年月日，検査者が検査利用書類テーブルに格納される（ステップ222）。このように検査利用書類テーブルは検査ごとに更新される。
【００９７】
図22は，検査利用書類テーブルの一例である。
【００９８】
検査利用書類テーブルには，上述のように，検査年月日，検査者，検査に利用された書類（検査種類，図面，マニアル，報告書）のそれぞれの識別符号（識別番号，バージョン番号，リビジョン番号）がＩＤごとに格納される。
【００９９】
図23は，検査利用書類テーブルを利用する場合の処理手順を示すフローチャートである。
【０１００】
検査書類端末３において検査利用書類テーブルの要求指令が入力されると，その要求指令が検査端末３から管理サーバ２に送信される（ステップ251）。
【０１０１】
検査書類端末３から送信された要求指令が管理サーバ２において受信されると（ステップ241），管理サーバ２に記憶されている検査利用書類テーブルが読み出される。読み出された検査利用書類テーブルが管理サーバ２から検査端末３に送信される（ステップ242）。
【０１０２】
管理サーバ２から送信された検査利用書類テーブルが検査端末３において受信されると（ステップ252），受信した検査利用書類テーブルが検査端末３の表示画面160に表示される（ステップ253）。表示された検査利用書類テーブルの中から利用したい識別符号の書類があれば，その書類画像および識別符号が検査者によって指定される（ステップ254）。すでに管理サーバ２からダウンロードされている書類画像の中から，指定された識別符号をもつ書類画像が検査端末３の表示画面160に表示される（ステップ255）。もちろん，検査端末３に指定された識別符号をもつ書類画像を表すファイルがダウンロードされていない場合には，その指定された識別符号および書類画像を識別するデータが検査端末３から管理サーバ２に送信される。管理サーバ２から検査端末３に，検査者によって指定された識別符号をもつ書類画像を表すファイルが送信されることとなる。
【０１０３】
上述の実施例において，書類画像中に，他の画像，テキスト，音声，動画，ＧＰＳ（グローバル・ポジショニング・システム）情報などのマルチメディア・データを関連づけるようにしてもよい。また，ユーザが自由にレイアウト可能な報告書（手書き点検表，検査箇所マップ，画像での報告書）を出力できるようにすることが好ましい。報告書の出力する表示画面上でもよいし，紙でもよい。
【０１０４】
さらに，上述のように，管理サーバ２から検査端末３に検査書類ファイル群91がダウンロードされる場合においては異常のない検査結果を表すファイルについては，そのダウンロードを一部または全部を省略してもよい。また，ヘッダに記録されるデータのみを検査端末３にダウンロードするようにしてもよいし，代表的な画像のみをダウンロードさせるようにしてもよい。さらに，異常のあった検査結果については，数件分，数年分など，ダウンロードするデータ量の制限を設けてもよい。
【０１０５】
上述の実施例においては，タッチ・パネル23を介して検査書類画像等に検査結果等を記載しているが，必ずしもタッチ・パネル23を介して検査結果等を記載する必要はない。検査端末３に，マウス，トラック・ボール，トラック・パッド，各種ボタン類が設けられている場合には，それらのマウス等を利用して検査結果等を検査書類画像等に記載することができる。また，上述したように，左右フリック，上下フリック，斜め方向へのフリックの代わりに，トラック・ボール，トラック・パッド，マウス，ボタンを利用して，左右方向，上下方向，斜め方向への指示が与えられるようにしてもよい。
【符号の説明】
【０１０６】
１  パーソナル・コンピュータ
２  管理サーバ
３  検査端末
10，20  ＣＰＵ
11，21  通信装置
12  検査書類データベース
【図１】
2012212305.tif 000003
【図２】
2012212305.tif 000004
【図３】
2012212305.tif 000005
【図４】
2012212305.tif 000006
【図５】
2012212305.tif 000007
【図６】
2012212305.tif 000008
【図７】
2012212305.tif 000009
【図８】
2012212305.tif 000010
【図９】
2012212305.tif 000011
【図１０】
2012212305.tif 000012
【図１１】
2012212305.tif 000013
【図１２】
2012212305.tif 000014
【図１３】
2012212305.tif 000015
【図１４】
2012212305.tif 000016
【図１５】
2012212305.tif 000017
【図１６】
2012212305.tif 000018
【図１７】
2012212305.tif 000019
【図１８】
2012212305.tif 000020
【図１９】
2012212305.tif 000021
【図２０】
2012212305.tif 000022
【図２１】
2012212305.tif 000023
【図２２】
2012212305.tif 000024
【図２３】
2012212305.tif 000025